(57)【要約】      （修正有）【課題】ペーパーの摘み出しが、迅速にでき使い易いトイレットペーパーホルダーのペーパー切断装置を提供する。【解決手段】従来方式のトイレットペーパーホルダーのペーパー押さえ板に延長板を屈曲自在に接続して、延長板の先端にペーパー切断刃を設ける事により、ペーパーの切断位置を前方に移し課題を解決する。本ペーパー切断装置を従来のホルダーに装着しても良く、又従来方式のホルダーに当初より本切断装置を設ける事も勿論、可能である。【選択図】図２
0003147661.tif 000002
【実用新案登録請求の範囲】
【請求項１】
トイレット、ペーパー、ホルダーのペーパー切断装置において、延長板の先端にペーパー切断刃を設け、延長板の後端に支点を設け、該支点をペーパー押さえ板の前端に装着するように成したることを特徴としたトイレット、ペーパー、ホルダーのペーパー切断装置。。
【考案の詳細な説明】
【考案の分野】
【０００１】  本考案は乗り物及び家屋等のトイレ内に設備されるトイレットペーパーホルダーに関するものである。
【背景技術】
【０００２】  水洗式トイレの無い時代では、払拭用紙として四角形に裁断された紙が使用された、社会の生活環境が進歩するにつれ、トイレは水洗式になり、払拭用紙はロール状の長い紙に変更され、その紙を巻いた物を使い易くしたホルダーが出来、現今市場には各社の製品が多数販売されて居るが、構成上の相違点は殆ど無く同一の製品である。
最近に至り、ペーパーを水にて切断する方式のものが出現しているが、この物は切断性能は良いとしても、水の補給が面倒なるため、この点が欠点になって居る。
トイレットペーパーホルダーの開発、研究をする人、メーカーは多いが、実用になる物は、まだ実現していない。
【考案の開示】
【考案が解決しようとする課題】
【０００３】  現今社会に普及しているトイレットペーパーホルダーは、簡素な構成ながら、一応使い易くて良い器具であると認められるが、唯一の欠点は、使用に際してペーパーの端末が、取り出し難い事である。
迅速、容易にペーパーを引き出す事、その事は些細な事であり、不必要とも思えるが、その不便は何十年間、毎日、連続するものである、そのため良好なトイレットペーパーホルダーの開発が切望される。
【課題を解決するための手段】
【０００４】  本考案は上記問題点を解決するために成されたものであるが、なるべく簡単、廉価にて目的を達成するため、従来の構成を利用して変更を僅少にする。
従来のトイレットペーパーホルダーは、ペーパーを巻いた、そのペーパー巻本体に接した部位にてペーパーを切断して居た、このため切断されたペーパーの端末が巻本体に付着し、次回の使用に際して、ペーパーの端末を摘み出す事が迅速、容易にできなかった、その不便を改善する手段として、本考案は従来の固定方式の切断部を可動方式に成して、ペーパーの切断位置を従来位置より前方に成すことにより、切断されたペーパーの端末がペーパー巻本体に付着することを防止し、次回の使用に際しペーパーの摘み出しを容易にする。
本考案の構成としては、従来のトイレット、ペーパー、ホルダー上部のペーパー押さえ板に屈折自在にて延長板を設け、この延長板の先端に切断刃を設ける、又延長板を伸縮方式にして性能を更に向上させる手段も実施する、この伸縮機構は種々なる方法があり、どのような方法を利用しても良い事は勿論である。
本考案のペーパー切断装置を従来の、トイレット、ホルダーに装着しても良く、又従来方式のトイレット、ホルダーに当初より本考案の切断装置を設ける事も勿論、可能である
【考案の効果】
【０００５】  従来のトイレット、ペーパー、ホルダーは使用に際して、ペーパーの摘み出しが、容易迅速にできなかった、本考案は、この欠点を解消したるものであって、ペーパーの摘み出しが、迅速にでき使い便利なホルダーである。
本考案のペーパー切断装置のみを単独品として作り、そのものを従来ホルダーに付加、装着すれば安価にて本考案方式に改造する事ができ得策である。
本考案は、従来のトイレット、ペーパー、ホルダーを利用して改造する方法と、当初より本考案方式のトイレット、ペーパー、ホルダーを製造する方法があるが、機能効果は同じである。
【考案を実施するための最良の形態】
【０００６】  従来のトイレットペーパーホルダーは簡素にて優れた面を有するため、その構成、形態は、そのまま利用するが、従来ホルダーはペーパーの切断位置が悪いため、次回の使用に際しペーパーの摘み出しが困難であった、本考案はこの解決手段として、ペーパーの切断部を独立した装置として製作し、従来のトイレットペーパーホルダーに補足、装着することにより完全、最良のトイレットペーパーホルダーを実現する。
上記は従来のトイレット、ペーパー、ホルダーを利用し改造する場合の方法であるが、当初より本考案方式のトイレット、ペーパー、ホルダーを製造する事も勿論可能である。
【実施例】
【０００７】  従来のトイレットペーパーホルダーは簡潔な構成にて、一応良好に使用できるトイレ用器具であるが、唯一の欠点は、使用に際してペーパーの摘み出しが困難な事である、これは些細な問題であるが、日常生活において、毎日、何十年間その不便は続行する。
本考案は上記問題を解決するために成されたものであって、以下図面に基づき詳細に説明する、［図１］は従来のトイレット、ペーパー、ホルダーの構成説明図であって、１はペーパーである、２はペーパー１を巻いたペーパー巻本体である、３はペーパー巻本体２の上部に設けられたペーパー押さえ板であって、その先端にはペーパー切断刃Ａ４が設けられている、従来のトイレット、ペーパー、ホルダーの中にあって、製造年代の古い物は、ペーパー押さえ板３の先端にペーパー切断刃Ａ４が設けられていない。
水洗式トイレットにて使用するペーパー１は極めて切断の容易な薄紙であるため、切断に際して強いて刃物を必要とせず切断ができるが、切断に刃物を利用すれば、切断が一層容易にできる、そのため近年のトイレット、ペーパー、ホルダーには、ペーパー切断刃Ａ４を設けた方式が多い。
古い従来のトイレット、ペーパー、ホルダーは、ペーパー押さえ板３の先端を利用して、ペーパー巻本体２の面上にてペーパー１を切断していた、ペーパー巻本体２の面上は弾性が有り、そのため切断性能を向上させる作用効果が有り好適であるが切断されたペーパー１の切り端がペーパー巻本体２に食い込み、次回の使用に際して、ペーパー１の取り出しが困難になる。
ペーパー切断刃Ａ４を設けた場合は、ペーパー巻本体２に食い込む事を防止できるが、ペーパー１の切断部がペーパー巻本体２に付着するため、ペーパー１の取り出しが容易、迅速に出来ない、このような不便が従来のトイレット、ペーパー、ホルダーの欠点である。【０００８】  ［図２］は従来のトイレット、ペーパー、ホルダーに本考案のトイレット、ペーパー、ホルダーのペーパー切断装置を設けた状態を示す説明図であって、従来のペーパー押さえ板３の先端に延長板５を支点６を介して屈曲自在に接続し、この延長板５の先端にペーパー切断刃Ｂを設ける。
本考案は従来のペーパー切断刃Ａ４の位置を延長したものであって、その延長の長さは３５ｍｍ乃至８０ｍｍの範囲内の好適長さにて決定する。
トイレ内にて使用者がペーパー１を前方に引き出すとペーパー１は水平に近い状態にて、引き出される、そのためペーパー押さえ板３及び延長板５、ペーパー切断刃Ｂ７等はベーパー１の上面に乗った状態になる、この場合ペーパー切断刃Ｂ７の刃先はペーパー１に接触するが、滑り動くのみにて切断の作用は全くしない。
ペーパー１を使用者が切断する場合は、ペーパー１を引き出したる手先を上方にあげると同時に前方に引き、ペーパー１をペーパー切断刃Ｂ７の刃先に押し当てる操作を成して、切断する、この操作は一瞬にて軽く実施できる、このペーパー１引き出しと切断の全操作が片手にて出来る事も本考案の大きな特徴である。【０００９】  ［図３］は従来のトイレット、ペーパー、ホルダーに本考案のトイレット、ペーパー、ホルダーのペーパー切断装置を装着したものにて、ペーパー１を切断したる場合を示した説明図である、切断されたペーパー１の使用者の手に持ちたる側は目的に使用される、ペーパー１の他の側は下に垂れ下がり次回の使用に際して、摘み易くなる。
ペーパー１の切断位置が前方にするほど、切断後のペーパー１の垂れ下がりが長くなり摘み易くなる、そのため切断位置を一層延長させる他の手段として、延長板５を伸縮方式にして切断時に長く延ばす方法もる、又ペーパー切断刃Ｂ７を可動方式にして切断時に切断位置を延長させる事も勿論可能である。
本考案のペーパー切断装置を具備したイレット、ペーパー、ホルダーを当初より製造する事は勿論可能である。
本考案は、このような実施例に何等限定されるものでなく、考案の要旨を逸脱しない範囲において種々なる態様にて実施し得る事は勿論である。
【産業上利用の可能性】
【００１０】  本考案のトイレット、ペーパー切断装置を単独の部品商品として、製造販売すれば従来来のトイレット、ペーパー、ホルダーの欠点解消が廉価にて容易に可能なるため、実施が大きく期待される。
【図面の簡単な説明】
【００１１】
【図１】は従来のトイレット、ペーパー、ホルダーの構成、作用の説明図である。
【図２】は従来のトイレット、ペーパー、ホルダーに本考案のトイレット、ペーパー、ホルダーのペーパー切断装置を装着したるものにおいて、ペーパーを引き出した場合の説明図である。
【図３】は従来のトイレット、ペーパー、ホルダーに本考案のトイレット、ペーパー、ホルダーのペーパー切断装置を装着したるものにおいて、ペーパーを切断したる場合の説明図である。
【符号の説明】
【００１２】１  ペーパー
２  ペーパー巻本体
３  ペーパー押さえ板
４  ペーパー切断刃Ａ
５  延長板
６  支点
７  ペーパー切断刃Ｂ
【図１】
0003147661.tif 000003
【図２】
0003147661.tif 000004
【図３】
0003147661.tif 000005